(57)【要約】【課題】  水の中に手をつける必要がなく、また一回一回水を捨てる必要もなく、さらには簡単な作業で効率良く米を研ぐことができる米洗い器を提供することを目的とする。【解決手段】  上端に備えた開口部１１から内部に米を出し入れする容器１と、該容器１の内部に着脱可能に装着する横方向の回転軸２と、該回転軸２に一定間隔を保って装着する回転羽３と、前記回転軸２に回転を与える回転手段４と、前記容器１内の水を排水する排水手段１２と、を備え、前記回転羽３の先端位置は回転軸２と直交する方向に対して左右方向にずれており、そのずれる方向が相対向する位置の回転羽３同士では逆方向になることを特徴とする。【選択図】      図１
2006230786.tif 000002
【特許請求の範囲】
【請求項１】
上端に備えた開口部（１１）から内部に米を出し入れする容器（１）と、該容器（１）の内部に着脱可能に装着する横方向の回転軸（２）と、該回転軸（２）に間隔を保って装着する回転羽（３）と、前記回転軸（２）に回転を与える回転手段（４）と、前記容器（１）内の水を排水する排水手段（１２）と、を備え、前記回転羽（３）の先端位置は回転軸（２）と直交する方向に対して左右方向にずれており、そのずれる方向が相対向する位置の回転羽（３）同士では逆方向になることを特徴とする米洗い器。
【請求項２】
上端に備えた開口部（１１）から内部に米を出し入れする容器（１）と、該容器（１）内の中心に着脱可能に装着する縦方向の回転軸（２）と、該回転軸（２）に対して横方向に装着する複数の回転羽（３１，３２）と、前記回転軸（２）に回転を与える回転手段（４）と、前記容器（１）内の水を排水する排水手段（１４）と、を備え、前記回転羽（３１，３２）は回転軸（２）の回転方向に対して米を上方に持ち上げるように作用する第１回転羽（３１）と、回転方向に対して米を下方に押し下げるように作用する第２回転羽（３２）と、を有していることを特徴とする米洗い器。
【請求項３】
前記相対向する位置の回転羽（３）の先端のずれた方向側の一端は、回転軸（２）と直交する方向に一直線上に配置されることを特徴とする請求項１記載の米洗い器。
【請求項４】
前記回転羽（３）は、先端に向かって丸みを持たせた形状をなしていることを特徴とする請求項１又は３記載の米洗い器。
【請求項５】
前記回転羽（３，３１，３２）は、回転軸（２）に着脱可能に装着されていることを特徴とする請求項１、２、３又は４記載の米洗い器。
【発明の詳細な説明】
【技術分野】
【０００１】
本発明は、家庭などにおいて米を研ぐ際に使用する米洗い器に関するものである。
【背景技術】
【０００２】
従来、米研ぎは、例えば炊飯器の内釜やボウルなどの容器にて、手で直接米を掻き回しながら水を取り替える作業を何度も繰り返して行うものであり、水を捨てる際に米を流さないように注意もしなければならず、その一つ一つの作業が非常に煩雑であった。また、水の中に手をつけなければならず、手荒れの原因になったり、水が特に冷たくなる冬場においては作業が非常に負担となっていた。さらには、研ぐ量が多いと時間が掛かる上、掻き回す際に力が必要となり腕に相当な負担がかかるという問題があった。
【発明の開示】
【発明が解決しようとする課題】
【０００３】
そこで本発明は、上記事情に鑑みてなされたものであり、水の中に手をつける必要がなく、また一回一回水を捨てる必要もなく、さらには簡単な作業で効率良く米を研ぐことができる米洗い器を提供することを目的とする。
【課題を解決するための手段】
【０００４】
上記目的を達成するために、本発明のうち請求項１記載の発明は、上端に備えた開口部から内部に米を出し入れする容器と、該容器の内部に着脱可能に装着する横方向の回転軸と、該回転軸に間隔を保って装着する回転羽と、前記回転軸に回転を与える回転手段と、前記容器内の水を排水する排水手段と、を備え、前記回転羽の先端位置は回転軸と直交する方向に対して左右方向にずれており、そのずれる方向が相対向する位置の回転羽同士では逆方向になることを特徴とする。
【０００５】
このように構成すれば、回転手段によって回転軸を回転させるだけで容易に米を掻き回すことができると共に、排水手段を備えているので、容器の開口部から水を入れながら米を洗うことができるため、水の中に手を入れたり、一回一回水を捨てる必要がない。また、先端位置のずれる方向が反対方向となる相対向する回転羽により、回転軸を一方方向に回転させて米を交互に掻き回すことで、米が左右方向に移動するため、容器内の隅の部分、例えば角部などに米が溜まるのを防いでまんべんなく掻き混ぜることができる。また、回転軸が着脱可能に構成されているので、各部を分解した状態で個別に洗うことができるので洗浄作業が容易になると共に、米洗い器を清潔に保つことができる。
【０００６】
ここで容器の形状については、家庭用の流し台の内部に収容可能な大きさ及び形状であれば、特に限定されるものではなく、例えば円筒状や方形状の筒体などを挙げることができるが、回転羽で容器内の米を隅々まで掻き回すことが可能なように、容器の底部は回転羽が回転する方向に湾曲する形状、即ち曲面にすることが望ましい。また材質についても特に限定はしないが、耐水性に優れ、軽量且つ強度の大きい材質にすることが望ましい。容器の開口部はそのまま開口させておいてもよいが、米を掻き回した際に米が外部に飛び出すことを防ぐためにも蓋体を備えることが望ましい。蓋体には、容器内に水を注入できるように窓穴などの給水部を設けることが望ましく、さらに給水部には米飛び防止用の網目状部材を備えることが望ましい。回転手段とは、手動で回転軸に回転を与える手段を全て含める概念であり、例えばハンドルに取っ手を備えたものなど、小さな力で誰もが容易に回転させることが可能な方法にすることが望ましい。排水手段とは、容器内の水を完全に排水することができる手段を全て含める概念であり、例えば容器の下端部に排水用の穴を形成したり、容器の底部を網目状部材から構成したりする方法を挙げることができる。穴を形成する場合には、米が流れ出ないように網目状部材によって穴を覆うことが望ましい。
【０００７】
回転羽については、相対向する位置の回転羽が交互に回転して容器内の米を左右に移動させることができる形態であれば、特に限定はしないが、請求項３記載の発明のように、相対向する位置の回転羽の先端のずれた方向側の一端同士を、回転軸と直交する方向に一直線上に配置させることが望ましい。このように構成することにより、相対向する位置の回転羽の回転軌道の相互間に隙間が形成されないため、混ぜ残しがなくなり容器内の米を細かくそして均一に掻き混ぜることができる。
【０００８】
また、回転羽の形状については平板状であってもよいが、請求項４記載の発明のように、先端に向かって丸みを持たせた形状にすることが望ましい。このように構成すれば、回転羽の先端が米の中にスムーズに入り込み、米を下から上にすくい上げるように掻き回すことができると共に、回転羽にかかる米の抵抗を小さくすることができる。
【０００９】
本発明のうち請求項２記載の発明は、上端に備えた開口部から内部に米を出し入れする容器と、該容器内の中心に着脱可能に装着する縦方向の回転軸と、該回転軸に対して横方向に装着する複数の回転羽と、前記回転軸に回転を与える回転手段と、前記容器内の水を排水する排水手段と、を備え、前記回転羽は回転軸の回転方向に対して米を上方に持ち上げるように作用する第１回転羽と、回転方向に対して米を下方に押し下げるように作用する第２回転羽と、を有していることを特徴とする。
【００１０】
ここで第１及び第２回転羽については、回転軸を同じ方向に回転させることで米を上下方向に移動させる作用を有するものであればどのような形態であってもよいが、回転させる際に米の抵抗がかからないように回転羽全体を傾斜させることが望ましい。また各回転羽の配置方法については、下位位置に米を上方に持ち上げるように作用する第１回転羽を配置さえすれば、あとはどのような配置であってもよく、例えば対向する位置及び上下する位置に作用の異なる回転羽を配置してもよいし、対向する位置には作用の同じ回転羽を、上下する位置には作用の異なる回転羽を配置する方法などが挙げられる。
【００１１】
このように構成すれば、回転手段によって回転軸を回転させるだけで容易に米を掻き回すことができると共に、排水手段を備えているので、容器の開口部から水を入れながら米を洗うことができるため、水の中に手を入れたり、一回一回水を捨てる必要がない。また回転軸を同じ方向に回転させることで、第１回転羽と第２回転羽によって米を上下方向に移動させながら均一且つ細かく掻き混ぜることができると共に、掻き混ぜる際に各回転羽に米の抵抗がかからないためスムーズに回転させることができ、操作性が良好となる。さらには、回転軸が着脱可能に構成されているので、各部を分解した状態で個別に洗うことができるので洗浄作業が容易になると共に、米洗い器を清潔に保つことができる。
【００１２】
容器の形状については、家庭用の流し台の内部に収容可能な大きさ及び形状であれば、特に限定されるものではないが、回転軸に対して横方向に装着した回転羽で隅々まで掻き回すことができるように円筒形状にすることが望ましい。また材質についても特に限定はしないが、耐水性に優れ、軽量且つ強度の大きい材質にすることが望ましい。回転手段とは、手動で回転軸に回転を与える手段を全て含める概念であり、例えばハンドルに取っ手を備えたものなど、小さな力で誰もが容易に回転させることが可能な方法にすることが望ましい。排水手段とは、容器内の水を完全に排水することができる手段を全て含める概念であり、例えば容器の下端部に排水用の穴を形成したり、容器の底部を網目状部材から構成したりする方法を挙げることができる。穴を形成する場合には、米が流れ出ないように網目状部材によって穴を覆うことが望ましい。
【００１３】
回転羽の装着方法については、回転軸に固定させる方法でもよいが、請求項５記載の発明のように、回転羽を回転軸に着脱可能に装着してもよい。このように構成すれば、容器の大きさや米の量に応じて回転羽の個数や上下する回転羽の間隔を適宜に変更することができる。
【発明の効果】
【００１４】
本発明のうち請求項１記載の発明によれば、開口部から容器内に水を入れながら回転手段によって回転羽を回転させるだけで、米が掻き回されると共に排水手段によって水が排水されるので、水の中に手をつけたり、一回一回水を捨てる必要がなく、非常に簡便な操作で容易に米を研ぐことができる。また相対向する位置の回転羽によって交互に米を掻き回すことで、容器内において米が左右に移動しながらがまんべんなく掻き混ぜられるため、米を効率良く研ぐことができる。さらに操作は手動で行うので、構成の簡略化が図られコスト面においても非常に優れたものとなる。この結果、毎日行う米研ぎ作業の負担が軽減されて、子供から年配者まで誰もが容易に米を研ぐことができる操作性に優れた米洗い器を提供することができる。
【００１５】
本発明のうち請求項２記載の発明によれば、回転軸を容器内に縦方向に装着しても、上記効果と同様に、開口部から容器内に水を入れながら回転手段によって回転羽を回転させるだけで、米が掻き回されると共に排水手段によって水が排水されるので、水の中に手をつけたり、一回一回水を捨てる必要がなく、非常に簡便な操作で容易に米を研ぐことができる。また回転軸を同じ方向に回転させるだけで、米を上下方向に移動させながらまんべんなく均一に掻き混ぜることができるので、操作性も良くなって米を効率良く研ぐことができる。さらに操作は手動で行うので、構成の簡略化が図られコスト面においても非常に優れたものとなる。この結果、毎日行う米研ぎ作業の負担が軽減されて、子供から年配者まで誰もが容易に米を研ぐことができる非常に優れた米洗い器を提供することができる。
【００１６】
本発明のうち請求項３記載の発明によれば、容器内での米の混ぜ残しを防いで、細かく且つ均一に掻き混ぜることができる。
【００１７】
本発明のうち請求項４記載の発明によれば、回転羽の丸くなった先端が米の中にスムーズに入り込んで米を下から上にすくい上げると共に、回転羽にかかる米の抵抗が小さくなってスムーズに回転させられるので、操作性がより一層良くなる。
【００１８】
本発明のうち請求項５記載の発明によれば、容器の大きさや米の量に応じて回転羽の個数や回転羽同士の間隔を適宜に変更することができるので、より一層効率良く米を研ぐことができる。また回転羽の一枚一枚が分離できるので洗う際に都合が良い。
【発明を実施するための最良の形態】
【００１９】
以下、本発明の実施形態を図面に基づいて説明する。
【００２０】
図１は本発明の第１実施形態を示す正面から見た断面図である。第１実施形態の米洗い器は、米を内部に収納する容器１と、容器１の内部に回動自在に装着する横方向の回転軸２と、回転軸２に固定される回転羽３と、回転軸２に回転を与えるハンドル４と、容器１の口部を塞ぐ蓋部５とから構成さている。容器１は方形状の筒体であり、上端には開口部１１を設け、下端部の内面には回転軸２の回転方向に湾曲する米粒を通さない程度の粗さの網状体６が固着してあり、この網状体６が容器１の底部分となっている。また容器１の下端には下向き凹状の水抜き部１２が形成してあり、網状体６から下方に向かって流れ出る水を排水可能にしてある。開口部１１には、米を研いでいる最中に米粒が容器１外に飛び出ることを防ぐために蓋部５を被せているが、蓋部５を被せた状態のままでも容器１内に水が注入できるように、蓋部５には容器１内に連通する給水窓５１が形成してあり、その給水窓５１を覆う状態で米粒を通さない程度の粗さの網板５４が固着されている。
【００２１】
回転軸２は、図２（ａ）（ｂ）に示すように、両端部には雌ネジ部２１が形成してあり、周囲には回転羽３が相対向する位置に複数枚溶接によって固着されている。回転羽３は水平板からなり、図２（ａ）に示すように先端位置は回転軸２と直交する方向に対して左右方向のどちらか一方側にずれており、そのずれる方向が相対向する位置の回転羽３同士では逆方向になっている。また、相対向する位置の回転羽３の先端のずれた方向側の一端は、図２（ａ）のＡ−Ａ直線のように回転軸２と直交する方向に一直線上になるように一定間隔を保って配置されている。また、図２（ｂ）に示すように、相対向する位置の回転羽３の形状は先端に向かって丸みを持たせており、相対向する位置の回転羽３同士が回転軸２を中心とした略Ｓ字状になるように配置されている。これにより、回転軸２を一方方向に回転させて相対向する位置の回転羽３によって米を交互に掻き回すことで、容器１内の米を左右交互に移動させながら隙間無く均一に且つ細かく掻き回すことができるので、容器１内の角部に米が溜まることを防いで、容器１内の米全体をまんべんなく掻き混ぜることができる。また、回転羽３の先端が米の中にスムーズに入り込むと共に、回転羽３にかかる抵抗が小さくなるので操作性が良く、誰もが負担無く容易に回転羽３を回すことができる。
【００２２】
上記のように構成された回転軸２を容器１内に回動自在に装着する場合は、容器１の左右側面に設けた貫通穴１３に回転軸２の両端の雌ネジ部２１を重なり合うように配置させ、貫通穴１３の外側から内側に向かって挿通した軸固定部材７に形成された雄ネジ部７１を、回転軸２の雌ネジ部２１にそれぞれ螺合させることで、回転軸２が軸固定部材７と一体的に回動自在となって容器１内に装着されるものである。
【００２３】
回転軸２の端部のどちらか一方側の軸固定部材７の先端部には、回転軸２を回転させるためのハンドル４が取り付けてあり、ハンドル４の先端部には取っ手４１が取り付けてあり、ハンドル４を回し易くしてある。ハンドル４は回転軸２を回転させるために使用する以外に、回転軸２の雌ネジ部２１に軸固定部材７の雄ネジ部７１を螺合させる際に使用でき、これにより回転軸２の取り付け取り外し作業が容易に行える。
【００２４】
次に、第１実施形態の米洗い器の米研ぎ操作について説明する。
【００２５】
容器１から蓋部５を外して容器１内に適量の米を入れ、再び容器１に蓋部５を被せる。そして容器１内に水を入れながらハンドル４を一方方向に回して相対向する位置の回転羽３を交互に回転させて米を研ぐ。このとき、相対向する位置の回転羽３によって米が網状体６に擦られながら上から下に掻き回されると共に、容器１内を米が左右方向に交互に移動してまんべんなく掻き混ぜられることで研がれていくものである。容器１内に注がれる水は米粒の隙間を通り抜け、さらに網状体６を通り抜けて水抜き部１２から常に排水されるため容器１内に溜まることはなく、水を捨てる作業が省かれた簡便な作業で、しかも常に綺麗な水で米を洗うことができる。また、回転羽３の構造上、抵抗無く米を掻き回すことができるので、ハンドル４を回す腕に負担が掛からず、子供から年配者まで誰もが容易に米を洗うことができる。上記の様に、容器１内へ水を入れながらハンドル４を一方方向に約３分程度回すことで米研ぎが完了する。
【００２６】
図３及び図４は本発明の第２実施形態を示すものであり、図３は全体を分解して示す斜視図であり、図４は組み立てた状態を示す断面図である。第２実施形態の米洗い器は、内部に米を収納する円筒形状の容器１と、容器１の中心に回動自在に装着する縦方向の回転軸２と、回転軸２に着脱自在に装着する回転羽３と、回転軸２に回転を与えるハンドル４と、容器１の口部を塞ぐ蓋部５とから構成されている。容器１の上端には開口部１１を設け、開口部１１を塞ぐ蓋部５が嵌挿されており、容器１の下端には底部８が固着されている。蓋部５は断面凹状をなしており、中心部には回転軸２を保持するための保持穴５２が形成されており、上端には外方に向かって突出する係止部５３が形成されており、係止部５３を容器１の開口部１１上端に係止させることによって安定に固定されるものである。また、開口部１１に蓋部５を嵌挿した状態のままでも容器１内に水を注入できるように、容器１内に連通する給水窓５１が形成してある。底部８は断面下向き凹状の上げ底状になっており、中心部には回転軸２を保持するための保持穴８１が形成してある。容器１の側周壁の下端部には容器１内の水を排水するための排水穴１４が複数形成してあり、その排水穴１４から容器１外に米粒が流れ出ない様に、米粒を通さない程度の粗さの網板１５で容器１の内側から排水穴１４を覆ってある。排水穴１４の下端位置は、容器１内の水を完全に排水可能なように底部８の上端面と面一にしてある。
【００２７】
回転軸２は断面六角形をなした細長い棒であり、回転軸２の下端部は段差状に径が小さくなるように丸棒状に形成されており、回転軸２の上下端部には容器１内に回動自在に装着するためのネジ部２２が形成されている。また図５及び図６（ａ）（ｂ）に示すように、回転軸２の周囲には複数枚の回転羽３１，３２が回転軸２に対して横方向に着脱可能に装着されている。回転羽３１，３２は短冊状をなした回転方向側が下方に傾斜する第１傾斜板３１と、短冊形状をなした回転方向側が上方に傾斜する第２傾斜板３２とからなる。各傾斜板３１，３２の傾斜角度については、角度が大きすぎると各傾斜板３１，３２に米の抵抗がかかってしまい、反対に角度が小さすぎると米の抵抗はかからなくなるが、米を上下方向に移動させる作用が小さくなってしまうことから、４５°前後にすることが望ましい。このような形態にすれば、回転軸２を同じ方向に回転させることで、第１傾斜板３１の回転方向側が米の中にもぐり込み、斜面によって米を上方へと持ち上げると共に、第２傾斜板３２の斜面によって米が下方に押し下げられることとなり、米を上下方向に確実に移動させることができる。また同じ方向に回転させるだけで米が上下方向に移動すると共に、各傾斜板３１，３２に傾きを設けることで、各傾斜板３１，３２が米の抵抗を受けずにスムーズに回転するため、操作性が非常に良好となる。さらには回転軸２の回転方向を反対にした場合でも、各傾斜板３１，３２がそれぞれ逆の作用となるため、米の抵抗を受けずにスムーズに回転しながら、米を上下方向に移動させることができる。各傾斜板３１，３２は取付部３３を介して回転軸２に着脱可能に装着されるもので、取付部３３は六角形のナット状をなしており、一側面に各傾斜板３１，３２を溶接によって固着し、その一側面と相対向する位置の側面には、取付部３３を回転軸２に強固に固定させるためのチヨネジ３４が横方向に備えてある。
【００２８】
回転軸２に各傾斜板３１，３２を装着するには、取付部３３に回転軸２を挿通し、各傾斜板３１，３２を固定させたい位置まで移動させた後、チヨネジ３４の端部が回転軸２の側面に当接するまで締め付けることで固定される。回転軸２は六角形状であるため、チヨネジ３４の端部を面の部分に当接させることができ、チヨネジ３４が締め付け易くなると共に、各傾斜板３１，３２を回転軸２に強固に固定させることができる。各傾斜板３１，３２の配置方法としては、段差をおいて相対向する位置に同じ方向に傾斜する第１傾斜板３１同士又は第２傾斜板３２同士を配置し、下位位置には一対の第１傾斜板３１，３１を配置し、それを基準に第１傾斜板３１と第２傾斜板３２とを上下方向で交互になるように一列に配置してある。このように配置すれば、回転軸２を同じ方向に回すだけで、上下方向に位置する傾斜方向の異なる第１傾斜板３１と第２傾斜板３２の相互間において米を上下に細かく移動させることができるので、米を均一に効率良く掻き混ぜることができる。また下位位置に一対の第１傾斜板３１，３１を配置することで、容器１内底部の米を常に上方に持ち上ることができ、混ぜ残しを防いで容器１内の米全体をまんべんなく掻き混ぜることができる。各傾斜板３１，３２はチヨネジ３４を緩めることで容易に取り外すことができるので、着脱作業が容易に行えると共に、研ぐ米の量に応じて上下に配置される各傾斜板３１，３２同士の間隔を調整したり、更には各傾斜板３１，３２の装着する個数を調整することもできる。
尚、各傾斜板３１，３２の配置方法は、上記の方法に限定されるものではなく、例えば相対向する第１傾斜板３１，３１又は第２傾斜板３２，３２は、それぞれ段差をおかずに一直線上に配置してもよいし、また相対向する位置に作用の異なる第１傾斜板３１と第２傾斜板３２を配置し、上下位置にも作用の異なる第１傾斜板３１と第２傾斜板３２を配置するようにしてもよい。また各傾斜板３１，３２は６０°間隔や９０°間隔に配置させてもよいし、必ずしも相対向する位置に配置させなくてもよい。
【００２９】
上記の様に構成された回転軸２を容器１内に回動自在に装着するには、容器１の底部８に設けた保持穴８１に回転軸２の下端部の丸棒状の部分を嵌挿し、回転軸２の六角形状の部分の下端を底部８の上端面に係止させることで、容器１内の中心に回転軸２を回動自在に装着するものである。底部８の保持穴８１を貫通して下方に飛び出した回転軸２の下端部のネジ部２２には軸固定部材７を螺合し、回転軸２が容器１内から外れないようにしてある。また回転軸２の上端を蓋部５の保持穴５２に挿通して容器１の開口部１１に蓋部５を嵌挿させることで、回転軸２の上下端部が各保持穴５２，８１によって安定に保持される。軸固定部材７には、回転軸２に螺合させる際にその作業が容易となるように回転補助棒７２が設けてある。
【００３０】
回転軸２の上端部分には回転軸２を回すためのハンドル４を着脱可能に装着してあり、ハンドル４の先端にはハンドル４を回し易くするための取っ手４１が取り付けてある。ハンドル４は回転羽３と同様に、回転軸２に固定する固定部４２に備えたチヨネジ４３を締め付けることにより回転軸２に強固に固定させるものである。回転軸２の上端のネジ部２２にはハンドル固定部材９が螺合してあり、ハンドル４が回転軸２の上端から外れないようにしてある。
【００３１】
次に、第２実施形態の米洗い器の米研ぎ操作について説明する。
【００３２】
蓋部５の給水窓５１から容器１内に適量の米を入れ、さらに給水窓５１から容器１内に水を入れながらハンドル４を一方方向に回して第１傾斜板３１と第２傾斜板３２を回転させて米を研ぐ。このとき、第１傾斜板３１と第２傾斜板３２によって米が各傾斜板３１，３２の相互間を細かく上下交互に移動しながらまんべんなく掻き混ぜられることで研がれていくものである。容器１内に注がれる水は、米粒の隙間を通り抜けて排水穴１４から少しずつ排水されるものであり、回転軸２の回転を遅くすると水が排水穴１４から排水されていき、反対に回転軸２の回転を速くすると容器１内に水が溜まっていくものであり、注ぐ水の量を少なくするためにも、容器１内には常に容器１内の半分の高さ位置まで水が溜まった状態で米を研ぐことが望ましい。また、水は必ずしも給水窓５１の上方から入れなくてもよく、蓋部５の形状上、凹状になった部分の上方であればどこから注いでも容器１内に水が導かれる形態になっている。このように米を研ぐ際には、水を一回一回捨てる作業が省かれるので簡便な作業となり、またハンドル４によって回転軸２を回転させる腕に負担が掛かからず、子供から年配者まで誰もが容易に米を洗うことができる。上記の様に、容器１内へ水を少しずつ入れながらハンドル４を同じ方向に約３分程度回すことで米研ぎが容易に完了する。
【００３３】
尚、上述した第１及び第２実施形態の米洗い器は、各部分が容易に分解可能となっているので、米洗い器自体を洗う作業が容易であると共に、各部分を容易に隅々まで洗浄することができるので、米洗い器を常に清潔に保つことができる。
【００３４】
ここで本発明の米洗い器は、第１及び第２実施形態に限定されるものではなく、第１実施形態の回転羽を第２実施形態のように回転軸に着脱自在に固定してもよいし、その反対に第２実施形態の回転羽を第１実施形態の回転羽のように回転軸に固定する形態にしてもよい。
【図面の簡単な説明】
【００３５】
【図１】本発明の第１実施形態を示す断面図である。
【図２（ａ）（ｂ）】第１実施形態の回転羽を示す正面図及び側面図である。
【図３】本発明の第２実施形態の分解した状態を示す斜視図である。
【図４】第２実施形態の全体を示す断面図である。
【図５】第２実施形態の回転軸及び回転羽を示す拡大斜視図である。
【図６（ａ）（ｂ）】第２実施形態の回転軸及び回転羽を示す正面図及び側面図である。
【符号の説明】
【００３６】
１  容器
２  回転軸
３  回転羽
４  ハンドル（回転手段）
１１  開口部
１２  水抜き部（排水手段）
１４  排水穴（排水手段）
３１  第１傾斜板（第１回転羽）
３２  第２傾斜板（第２回転羽）
【図１】
2006230786.tif 000003
【図２（ａ）（ｂ）】
2006230786.tif 000004
【図３】
2006230786.tif 000005
【図４】
2006230786.tif 000006
【図５】
2006230786.tif 000007
【図６（ａ）（ｂ）】
2006230786.tif 000008